(57)【要約】【課題】処理トレイでの処理が不要なシートを、処理トレイを介することなく直接排紙トレイに搬送することができるシート後処理装置及び待機トレイを提供する。【解決手段】待機トレイ10は、搬送されるシートを排紙トレイに排出する待機トレイローラ28と、待機トレイローラを、シートに対し接離するように動かす待機トレイローラ駆動源30と、待機トレイローラを、シートを排出する方向に回転させる待機トレイローラ駆動モータ32とを具備し、待機トレイから、処理トレイを経ることなく直接排紙トレイに排出する場合に、待機トレイローラ駆動源30と待機トレイローラ駆動モータ32により待機トレイローラ28を駆動して、待機トレイに積載されたシートを直接排紙トレイに積載し、またはシートを積載せずに直接排紙トレイに積載するシート後処理装置。【選択図】      図１６
2006096469.tif 000002
【特許請求の範囲】
【請求項１】
搬送されたシートを一時的に待機保持した後この保持を解除して該シートを落下可能な待機トレイと、待機トレイから落下されたシートを保持して処理可能な処理トレイと、処理トレイで処理されたシートを制裁可能な排紙トレイとを具備したシート後処理装置であって、
前記待機トレイは、
搬送されるシートを排紙トレイに排出する待機トレイローラと、
待機トレイローラを、シートに対し接離するように動かす第１の駆動手段と、
待機トレイローラを、シートを排出する方向に回転させる第２の駆動手段とを具備し、
第１、第２駆動手段により待機トレイローラを駆動して、シートを待機トレイから直接排紙トレイに排紙可能な、シート後処理装置。
【請求項２】
搬送されたシートを一時的に待機保持した後この保持を解除して該シートを処理トレイに落下可能な、シート後処理装置に用いられる待機トレイであって、
搬送されるシートを排紙トレイに排出する待機トレイローラと、
待機トレイローラを、シートに対し接離するように動かす第１の駆動手段と、
待機トレイローラを、シートを排出する方向に回転させる第２の駆動手段とを具備し、
第１、第２駆動手段により待機トレイローラを駆動して、シートを待機トレイから直接排紙トレイに排紙可能な、待機トレイ。
【請求項３】
排紙ローラは、搬送されるシートの先端側に配置されている請求項２に記載の待機トレイ。
【発明の詳細な説明】
【技術分野】
【０００１】
本発明は、画像形成装置から送られたシートを後処理する装置（フィニッシャ）及びこの後処理装置に用いられる待機トレイに関する。
【背景技術】
【０００２】
後処理装置では、例えば、画像形成装置から送られたシートを束ねて処理トレイにてステープル処理した後、排紙トレイに搬送している。この場合、画像形成装置の画像処理速度に比べて後処理装置のステープル処理速度が遅いことから、シートを直接処理トレイに送ると、先のシートをステープル処理している間に、次のステープル処理するシートが搬送されてしまう。これを防ぐために、処理トレイの前段にシートの搬入タイミングを調節するバッファ機構を設ける必要となる。このことから従来から種々のバッファ機構が提案されている。例えば、特許文献１は、画像形成装置から送られたシートを処理トレイに送る搬送路にシートを滞留する機構を設けている。しかし、この場合、搬送路を長くする必要があり、その結果後処理装置が大型化しやすい。
【特許文献１】特許２５８３５９４号公報、第７図及びその説明部分など
【特許文献２】特開平６−８３１３２、要約など
【発明の開示】
【発明が解決しようとする課題】
【０００３】
このような事情に鑑み、本発明者等は、処理トレイの上段にバッファ機構として待機トレイを設けることをここに提案する。この待機トレイは処理トレイに搬送されるシートを一旦待機保持し、待機保持を解除する時に待機トレイのシート支持面を開いてシートをその後端部側（シートが待機トレイに搬送される時の上流側）から処理トレイに落下させるものである。この処理トレイを用いれば、簡単な機構で、搬送路を長く取る必要がなく、スペースを取ることなく配置でき、その結果、後処理装置をコンパクト化できる。しかも、シートを誤動作なく処理トレイに送ることができる。
【０００４】
しかし、シートには必ずしもステープル処理が必要なものだけでなく、そのまま排紙トレイに積載してもよいシートがある。このようなシートに関しては、処理トレイに送ると処理スピードがその分低下する問題がある。
【０００５】
本発明は、処理トレイでの処理が不要なシートを、処理トレイを介することなく直接排紙トレイに搬送することができるシート後処理装置及び待機トレイを提供することを目的とする。
【課題を解決するための手段】
【０００６】
上記課題を解決するために本発明は以下の構成を備えている。
【０００７】
（１）搬送されたシートを一時的に待機保持した後この保持を解除して該シートを落下可能な待機トレイと、待機トレイから落下されたシートを保持して処理可能な処理トレイと、処理トレイで処理されたシートを制裁可能な排紙トレイとを具備したシート後処理装置であって、
前記待機トレイは、
搬送されるシートを排紙トレイに排出する待機トレイローラと、
待機トレイローラを、シートに対し接離するように動かす第１の駆動手段と、
待機トレイローラを、シートを排出する方向に回転させる第２の駆動手段とを具備し、
第１、第２駆動手段により待機トレイローラを駆動して、シートを待機トレイから直接排紙トレイに排紙可能な、シート後処理装置。
【０００８】
（２）搬送されたシートを一時的に待機保持した後この保持を解除して該シートを処理トレイに落下可能な、シート後処理装置に用いられる待機トレイであって、
搬送されるシートを排紙トレイに排出する待機トレイローラと、
待機トレイローラを、シートに対し接離するように動かす第１の駆動手段と、
待機トレイローラを、シートを排出する方向に回転させる第２の駆動手段とを具備し、
第１、第２駆動手段により待機トレイローラを駆動して、シートを待機トレイから直接排紙トレイに排紙可能な、待機トレイ。
【０００９】
（３）排紙ローラは、搬送されるシートの先端側に配置されている（２）に記載の待機トレイ。
【００１０】
本明細書及び特許請求の範囲で、先端側、後端側、シート幅とは、それぞれ、待機トレイに搬送されるシートの搬送方向を基準としたもので、搬送方向の下流側を先端側、搬送方向の上流側を後端側、シート搬送方向を縦方向とした時に横方向の長さをシート幅と称する。また、シートとは、トナー画像（現像画像）が複写され、画像形成装置から送られたコピー用紙のことをいう。
【発明の効果】
【００１１】
本発明は、待機トレイの先端側に配しローラを設け、待機トレイに搬送されるシートが処理トレイでの処理が不要なシート（処理トレイでの処理を施さないシート又はエラー時）であることを検知すると、ローラが駆動されて、搬送されたシートを処理トレイを通すことなく直接排紙トレイに排出する。このために処理速度が向上する。
【００１２】
なお、特許文献２は、中間トレイ装置において、トレイ部材の上部に用紙搬送装置を設け、多数の作動アーム部材を介して用紙搬送部材により用紙の搬送をおこなうことが記載されている。しかし、これは待機トレイに関する機構ではなく、本発明とは技術的な相違があり、本発明の効果を奏し得ない。
【発明を実施するための最良の形態】
【００１３】
以下、本発明の一実施例を説明する。
【００１４】
（画像形成装置概略）
図１８に基づいて、本発明に係る後処理装置の前段に配置する画像形成装置（デジタル複写機）の概略を簡単に説明する。この装置は、上面に原稿の載置台112が設けられ、その上に原稿Ｄを自動的に原稿載置台112上に送る自動原稿送り装置117（以下、ＡＤＦと称する）が配置されている。ＡＤＦに原稿Ｄを載せ、所定の設定（例えばステープル処理の有無、ステープル処理の仕方、複写枚数、複写されるシートのサイズ等）をした後、複写開始スイッチを押す。ＡＤＦ上の原稿Ｄは原稿載置台112の所定の位置に搬送される。
【００１５】
画像形成装置の内部にはスキャナ部4、プリンタ部６、及びコピー用紙のカセット、フィーダーが配設されている。スキャナ部4では、原稿載置台112上の原稿Ｄをスキャンニングし、その反射光を入射し、入射した反射光を光電変換して原稿Ｄの画像情報を読み取り、読み取った画像情報に対応する光電信号を出力する。プリンタ部６ではスキャナ部4で読み取った原稿Ｄの画像情報等に応じて半導体レーザ141により感光体ドラム144周面上に静電潜像を形成する。そして感光体ドラム144に現像器146からトナーを供給して感光体ドラム144に形成された静電潜像を顕像化しトナー像を形成する。
【００１６】
この感光体ドラム144には、コピー用紙Pがコピー用紙Pのカセット52,53,54,56、フィーダー55から送られ、感光体ドラム144上のトナー像が転写チャージャ148によりコピー用紙に複写される。その後コピー用紙のトナー画像が定着器160によって定着され、排出口161から排出される。これが、本発明のシートに該当する。
【００１７】
（後処理装置概略）
同図１８に基づいて後処理装置の概略を簡単に説明する。後処理装置は、画像形成装置から搬送されるシート20をステープル処理する装置で、画像形成装置の排出口161に接して配置されている。すなわち画像形成装置の排出口161に対応してシート搬送入口を設け、このシート搬送入口に入口ローラ22を配置している。入口ローラ22の搬送入口にはシートセンサ70が設けられ、このセンサは搬送されるシートの先端、後端を検知するものである。前記入口ローラ22は、シート20を後処理装置内の搬送路を形成するペーパーパス天井36に導入する。このペーパーパス天井36は、シートを待機トレイ10及び処理トレイ12に案内するものである。処理トレイ12の上流側（又は待機トレイ10の上流側）には二つの排紙トレイ16，18が配置されている。待機トレイ10は、トレイに搬送されるシートの先端側が上向きで、後端側が下向きになるように傾斜して、処理トレイ12の上段に配置されている。この待機トレイ10には、後端側（搬送されるシートの上流側）に給紙ローラ24が設けられ、先端側（搬送されるシートの下流側）に待機トレイローラ28が設けられている。処理トレイ12は、シートの先端側（排紙トレイに搬送するシートの下流側）が上向きで、後端側（排紙トレイに搬送するシートの上流側）が下向きになるように傾斜して処理トレイ12の下段に配置されている。処理トレイ12の後端側にはステイプラ14が設けられている。
【００１８】
ここで、本発明に係る後処理装置は、装置をコンパクトにするために、搬送されるシートのサイズに比べて、待機トレイ10及び処理トレイ12が何れも小さいサイズとなっている。待機トレイ１２がここに積載されるシートよりもサイズが小さいため、待機トレイ10から処理トレイ12にシートが落下した際に、そのシートは処理トレイ12と排紙トレイ16（又は18）にまたがって積載される（図１０乃至図１３参照）。
【００１９】
＜待機トレイ＞
次に、図１，２，３に基づいて待機トレイを説明する。すでに述べたように、処理トレイで先のシートを処理している時には、次のシートを処理トレイに搬送することはできない。待機トレイは、この状態で次のシートを待機させるものである。前記入口ローラ22は、上入口ローラ２２ａと下入口ローラ２２ｂからなり、これらローラは入口ローラモータ26で駆動される。給紙ローラ24も上給紙ローラ２４ａと下給紙ローラ２４ｂとからなり、これらローラは給紙ローラモータ（図１９参照）で駆動される。待機トレイローラ28は上下に昇降動可能で、その制御は待機トレイローラ駆動源30によりおこなわれる。待機トレイローラ28は、正逆回転が可能で、その正逆回転は待機トレイローラモータ32でおこなわれる。
【００２０】
待機トレイ10は、左右幅方向に、待機トレイ内に搬入されたシートの下面の両側を支える左右の下面支持部材10a，10bが設けられている。左右の下面支持部材間は開口しており、従って、シート下面の中央部は支持されない。これら左右の下面支持部材10a，10bの上面は、それぞれ平面状となっているが、その先端側に上方に湾曲した曲面を形成している。なお、曲面に代えてまたは曲面とともに任意方向に回転可能なコロを嵌め込むようにしてもよい。左右の下面支持部材10a，10bは、先端側の幅が広く、後端側の幅が狭く形成され、その結果、両下面支持部材間に形成される開口部の幅が先端側で広く、後端側で狭く形成されている。ここで、幅とは、シート搬送方向を縦方向とした場合の横方向をいう。左右の下面支持部材10a，10bは、第1ポジションにおいて、左右の下面支持部材全面でシート側面を支持できる位置にあり、第２ポジジョンにおいて、シートの先端側は左右の下面支持部材で支持しているが、シートの後端側は左右の下面支持部材で支持していない程度まで左右の下面支持部材を開放している位置にある。また、第３ポジションにおいて、シートの支持を全て解除している位置にある。左右の下面支持部材10a，10bは支持部材駆動モータにより駆動され、この支持部材駆動モータにより、左右の下面支持部材をスライド動作させて開口部の開口幅を調節し、左右の下面支持部材10a，10bを第１乃至第３ポジジョンの何れかに移動させる。
【００２１】
前記待機トレイローラ28は、待機トレイに搬送されたシートを後端側に戻し、シートの後端側を待機トレイの後端60に突き当ててシート後端を整合させるものである。この場合、シートが待機トレイに搬送される時は上方に位置するが、整合させる場合に下降してシートを押した状態で回転して、シートを押し戻す。
【００２２】
また、シートを待機トレイから直接排紙トレイに搬送する場合は、このシート整合ローラを下降させてシートを押した状態で回転して、シートを排出する。この場合、待機トレイローラ28の回転方向はシートを後端側に突き当てる場合とは逆回転となる。
【００２３】
待機トレイには、給紙ローラ２４の近傍、すなわち、シートが待機トレイに搬入される側（上流側）にシートを検知するシートセンサ70（図１８など参照）が設けられている。このシートセンサ70は、シートの給紙ローラ24による搬送開始（シート先端）、給紙ローラ24による搬送終了（シート後端）を検知し、この検知信号を制御手段に送るものである。
【００２４】
後処理装置の制御手段は、画像処理装置の制御手段からの情報（例えばステープル処理の有無、ステープル処理の仕方、複写枚数、複写されるシートのサイズ等の信号）を受け、待機トレイに搬送されるシートが待機トレイに待機保持されるべきシートであるか、待機保持不要のシートであるかを検知する。例えば、ステープル処理の仕方を示す情報に基づき、１枚目、２枚目は待機トレイに待機保持されるシートで、３枚目以降は待機保持が不要のシートであることを検知する、あるいは、ステープル処理をしないとの情報から、待機トレイでの待機保持が不要であることを検知する。また、シートセンサ70からの信号を受け、シートの待機トレイ10への搬入状態を検知する。そして、後処理装置の制御手段により、左右の下面支持部材10a，10bの開放タイミング、開放量（開放幅）の制御信号を下面支持部材10a，10bの駆動モータに出力指令し、適切なタイミングで、的確にシートを処理トレイ12に落下させるものである。
【００２５】
これに対し、待機トレイに搬送されたシートが待機トレイで待機保持不要のシートである場合には、シート後端が処理トレイに到達すると、待機保持することなく直ぐに左右の下面支持部材10a，10bを開放して第２ポジションに位置させる。すなわち、シートの先端側は左右の下面支持部材10a，10bで支持しているが、シートの後端側は左右の下面支持部材10a，10bで支持していない程度まで左右の下面支持部材10a，10bを開放する。その結果、その開放幅が後端側のみが開放される程度であるので、シートは先端側が支持された状態で後端側から処理トレイに落下する。
【００２６】
＜処理トレイ＞
処理トレイは、待機トレイから落下されたシートの束について縦横整合をおこなって所定の処理（例えばステープル処理）をおこなうものである。この処理トレイは、先端側が高く、後端側が低い傾斜状に配置されている。
【００２７】
図４に示すように、縦整合は、縦整合ローラ38によりなされ、縦整合上ローラ38aは縦整合上ローラモータ40により、縦整合下ローラ38bは縦整合下ローラモータ42により駆動され、用紙をストッパー45を基準に揃える。またこの整合を補助するためにパドル44が設けられ、このパドル44はパドルモータ46により駆動される。
【００２８】
図５に示すように、横整合は、横整合機構47と横整合モータ48とにより実行される。
【００２９】
処理トレイ12に所定の枚数の用紙が整合され蓄積されると、ステイプル処理がステイプラ14により行われる。
【００３０】
図６に示すように、ステイプラ14はステイプル駆動部49により位置決めされ、ステイプル処理を制御される。
【００３１】
＜排紙トレイ＞
図４に示すように、ステイプル処理された用紙束は、搬送機構50により排紙トレイ16に送られる。排紙トレイ16、18の選択は、排紙トレイ駆動部５２により排紙トレイ16、18を上下移動させてなされる。
【００３２】
待機トレイ10から直接排紙する場合は、待機トレイのシート出口に対応した位置まで排紙トレイを上昇させる。
【００３３】
（動作説明）
次に図７乃至１８を参照して本発明に係る後処理装置の動作を説明する。
【００３４】
＜ステープル処理をする場合＞
すでに述べたように、処理トレイでのステイプル処理は、画像処理装置での処理に比べて遅く、このため、画像処理装置から搬送されたシートを処理トレイで処理する際に、その前段にバッファ部を設けて、処理トレイでのステイプル処理が完了するまで、次のシートが処理トレイに搬送されるまで待機させる必要がある。この例では、２枚のシート（１枚目と２枚目）を待機トレイに待機させ、３枚目以降は待機不要の場合について説明する。
【００３５】
画像処理装置からの１枚目のシートが入口ローラ22、給紙ローラ24を介して待機トレイ10に搬送される。シートは、第1ポジションにある左右の下面支持部材10a，10bと後端支持部材とで保持され、待機トレイローラ28が下降してシート後端が整合される（待機トレイ10の後端60（上流側）に位置合わせする）。
【００３６】
次いで、待機トレイローラ28が上昇し、２枚目のシート20aを受け入れる準備をする。２枚目のシート20aが待機トレイ10に送られると、待機トレイローラ28が下降してシートの位置を待機トレイ10の後端60に整える。その後待機トレイローラ28が上昇する（図１１）。２枚目のシートが待機トレイに搬送される際にシートの後端部をシートセンサ70で検知し、この検知信号に基づいて１枚目、２枚目のシートの束をまとめて処理トレイ12に落とす。すなわち、左右の下面支持部材10a，10bを開放して、第２ポジション又は第３ポジションに位置させ、シートの両側面の支持を解除する。
【００３７】
その後、３枚目以降のシートに関しては、待機トレイをシートの支持を解除している状態のままとして、シートを給紙ローラ２４から直接待機トレイに搬送することも可能であるが、本発明においては、待機トレイ10を経由して処理トレイ12に落下させる。この点について、図２１乃至２４を参照して説明する。
【００３８】
２枚目のシートが処理シートに落下した後に、図２１に示すように、左右の下面支持部材10a，10bは、第１のポジションに戻り、第３のシートを支持可能な状態となる。この状態で第３のシートが待機トレイ10に搬送される（図２２）。搬送状態において、左右の下面支持部材10a，10bの開口動作（開口部を広げる動作）を開始し（図２３）、シートセンサ70でシート後端部が待機トレイ10に搬送されたことを検知すると、この時点で待機トレイを第２ポジジョンまで開放する。第２ポジションでは左右の下面支持部材10a，10bの先端側（下流側）は保持されているが後端側（上流側）は開放されている状態なので、シートは後端側から確実に処理トレイに落下する。このように待機トレイ10で待機させることなく処理トレイに落下させるので、処理速度を高めることができる。しかも、処理トレイ12にはシートが後端側から落下するので、シートが姿勢よく安定して落下することができ、処理トレイ12におけるシート後端の整合処理がしやすい。しかも、待機トレイ10は後端側が低くなるように傾斜して配置されているので、シートが後端部から確実に処理トレイに落下させるのを助ける。
【００３９】
つぎに図１３に戻り、処理トレイ12に二枚目のシートが積載された状態から説明する。処理トレイ12においては、２枚の用紙束２０ｂ上に堆積されて所定枚数の用紙束２１を形成する。この際、縦横整合機構３８、４７が機能して、縦横の用紙整合が実行される。この際図１３に示されるように、待機トレイ１０の後端６０が処理トレイ１２の後端（上流側）６２より下流側に存在するように、待機トレイ１０の後端６０と処理トレイ１２の後端６２は距離Ｌだけ横方向に離隔されている。このような構成とすると、待機トレイ１０から処理トレイ１２への用紙束２０ｂの落下が容易となり、縦横整合機構３８、４７による整合動作も容易にできる。その結果ジャムの発生を防止できる。
【００４０】
なお、処理トレイ１２は、待機トレイ１０とともに斜めに傾けられて配置されるので、それぞれの後端６０，６２が最も下に位置し、用紙２０及び用紙束２１の自重によって用紙２０及び用紙束２１が後端６０、６２に整合可能にする。
【００４１】
次に図１４に示すように、用紙束２１をステイプラ１４によりステイプル処理する。そして、図１５に示すように、搬送機構５０により用紙束２０を排紙トレイ１６に送り、後処理が終了する。
【００４２】
＜後処理を必要としない場合＞
後処理を必要としない場合（ステープル処理しない場合、ジャムが発生した場合など）には、図１６、１７に示すように処理トレイ１２を経由せず待機トレイ１０から直接排紙トレイ１６に排紙する。図１６に示すように、画像処理装置から送られてきたシートは入口トレイ２２、給紙トレイ２４、待機トレイ１０を介して、排紙トレイ１６に送られる。すなわち、待機トレイ10の先端側上方には、左右の下面支持部材の位置に対応して待機トレイローラ28が配設されている。後処理装置の制御手段が画像形成装置の制御手段から待機トレイに搬送されるシートなどに関する情報を受け取り、待機トレイに搬送されたシートが処理トレイでの処理をせずに直接排紙トレイに積載するトレイであることを検知する。後処理装置の制御手段はこの検知信号に基づき、待機トレイローラ駆動源30を駆動して、待機トレイローラ28をシートを搬送可能なシートの上面に位置せしめる。ついで、待機トレイモータ34により待機トレイローラ28を駆動して、待機トレイに積載されたシートを、またはシートを待機トレイに積載せずに直接排紙トレイに積載する排紙トレイに積載する。この場合、排紙トレイは、排紙トレイ駆動部５２により若干上昇させられ、待機トレイ１０から送られる用紙を受け取る。また、ここでは、待機トレイに積載されたシートを直接排紙トレイに積載してもよいし、シートを積載せずに直接排紙トレイに積載するようにしてもよい。
【００４３】
なお、左右の下面支持部材の先端側にコロをはめ込んだ場合、コロと排紙ローラが常時接するようにしていても待機トレイにシート円滑に搬送されるので、排紙ローラを常時コロに接するままとする構造（昇降動しない構造）とすることも可能である。この場合、待機トレイローラを昇降動する待機トレイローラ駆動源は不要となる。
【００４４】
以上、本発明の実施例を説明したが、本発明はこの実施例に限定されない。実施例に示された各構成要素はその機能が同じであれば他の構成要素に変更可能である
【図面の簡単な説明】
【００４５】
【図１】本発明の一実施例を示す後処理装置の斜視図。
【図２】本発明の一実施例を示す後処理装置の上面図。
【図３】本発明の一実施例を示す待機トレイの動作を説明する図。
【図４】本発明の一実施例を示す後処理装置の縦整合と用紙束搬送機構を説明する図。
【図５】本発明の一実施例を示す後処理装置の横整合機構を説明する図。
【図６】本発明の一実施例を示す後処理装置のステイプラの動作を説明する図。
【図７】本発明の一実施例を示す後処理装置における入口ローラと給紙ローラ間における１枚目の用紙の流れを説明する図。
【図８】本発明の一実施例を示す後処理装置における給紙ローラと待機トレイ間における１枚目の用紙の流れを説明する図。
【図９】本発明の一実施例を示す後処理装置における給紙ローラと待機トレイ間における２枚目の用紙の流れを説明する図。
【図１０】本発明の一実施例を示す後処理装置における待機トレイローラの動作を説明する図。
【図１１】本発明の一実施例を示す後処理装置における待機トレイローラの動作を説明する図。
【図１２】本発明の一実施例を示す後処理装置におけるアクティブドロップの動作を説明する図。
【図１３】本発明の一実施例を示す後処理装置における３枚目の用紙の流れを説明する図。
【図１４】本発明の一実施例を示す後処理装置におけるスティプラの動作を説明する図。
【図１５】本発明の一実施例を示す後処理装置における処理トレイと排紙トレイ間の用紙束の流れを説明する図。
【図１６】本発明の一実施例を示す後処理装置における待機トレイから排紙トレイへの用紙の直接排紙の流れを説明する図。
【図１７】本発明の一実施例を示す後処理装置における排紙トレイの位置変更の動作を説明する図。
【図１８】本発明の後処理理装置を画像形成装置と組み合せた図。
【符号の説明】
【００４６】
１０・・・待機トレイ、１０ａ，１０ｂ・・・左右の下面支持部材、１２・・・処理トレイ、１４・・・ステイプラ、１６・・・第１の排紙トレイ、１８・・・第２の廃止トレイ、２０・・・用紙、２１・・・用紙束、２２・・・入り口ローラ、２２ａ・・・上入口ローラ、２２ｂ・・・下入口ローラ、２４・・・給紙ローラ、２６・・・入口ローラモータ、２８・・・待機トレイローラ、３０・・・待機トレイローラ駆動源（第1の駆動手段）、３２・・・待機トレイローラモータ（第２の駆動手段）、３４・・・待機トレイモータ、３６・・・ペーパーパス天井、３８・・・縦整合ローラ３８、４０・・・縦整合上ローラモータ、４２・・・縦整合下ローラモータ、４４・・・パドル、４５・・・ストッパー、４６・・・パドルモータ、４７・・・横整合機構、４８・・・横整合モータ、４９・・・ステイプル駆動部、５０・・・搬送機構、５２・・・排紙トレイ駆動部、６０・・・待機トレイの後端、６２・・・処理トレイの後端、７０・・・シートセンサ
【図１】
2006096469.tif 000003
【図２】
2006096469.tif 000004
【図３】
2006096469.tif 000005
【図４】
2006096469.tif 000006
【図５】
2006096469.tif 000007
【図６】
2006096469.tif 000008
【図７】
2006096469.tif 000009
【図８】
2006096469.tif 000010
【図９】
2006096469.tif 000011
【図１０】
2006096469.tif 000012
【図１１】
2006096469.tif 000013
【図１２】
2006096469.tif 000014
【図１３】
2006096469.tif 000015
【図１４】
2006096469.tif 000016
【図１５】
2006096469.tif 000017
【図１６】
2006096469.tif 000018
【図１７】
2006096469.tif 000019
【図１８】
2006096469.tif 000020